(57)【特許請求の範囲】
【請求項１】
突切り工具ホルダ（１）であって、
切削工具座部（１２３）を備える板状ホルダ本体（１’）と、
前記突切り工具ホルダ（１）を工作機械内にクランプするためのクランプ部分（１１）とを備え、
前記ホルダ本体の側面（１２２”）に少なくとも１つの出口開口（１８ａ、１８ｂ）を備えるとともに前記側面（１２２”）から斜めに現れる少なくとも第１の冷却潤滑剤ダクト（１９３）が前記ホルダ本体（１’）内に存在し、
前記出口開口（１８ａ、１８ｂ）が、前記冷却潤滑剤ダクト（１９３）から流出する冷却潤滑剤噴流（Ｋ）を前記切削工具座部（１２３）に受容される切削工具の表面上に側方から導くことができるように配向され、
前記ホルダ本体（１’）が、
前記ホルダ本体（１’）の端面（１２２’）に存在する上部出口開口（１６）であって、冷却潤滑剤ダクト（１９４）から流出する冷却潤滑剤噴流を前記切削工具座部（１２３）に受容される切削工具の切削縁部に上方から導くことができるように配向される上部出口開口（１６）に開口する少なくとも１つの上部冷却潤滑剤ダクト（１９４）と、
前記ホルダ本体（１’）の端面（１２２’）に存在する下部出口開口（１７）であって、冷却潤滑剤ダクト（１９５）から流出する冷却潤滑剤噴流を前記切削工具座部（１２３）に受容される前記切削工具の前記切削縁部に下方から導くことができるように配向される下部出口開口（１７）に開口する少なくとも１つの下部冷却潤滑剤ダクト（１９５）とを備える
ことを特徴とする、突切り工具ホルダ（１）。
【請求項２】
前記ホルダ本体（１’）が、前記クランプ部分（１１）に存在する、冷却潤滑剤用の少なくとも１つの供給開口（１４）を備え、前記供給開口（１４）が、冷却潤滑剤供給源に流体接続可能であり、かつ前記冷却潤滑剤ダクト（１９３）が、前記供給開口（１４）から前記出口開口（１８ａ、１８ｂ）に延びることを特徴とする、請求項１に記載の突切り工具ホルダ（１）。
【請求項３】
前記冷却潤滑剤ダクト（１９３）が、丸みを付けられた少なくとも１つの方向変化部分を備えることを特徴とする、請求項１または２に記載の突切り工具ホルダ（１）。
【請求項４】
前記上部冷却潤滑剤ダクト（１９４）および／もしくは前記下部冷却潤滑剤ダクト（１９５）が、共通の冷却潤滑剤ダクト部分、前記第１の冷却潤滑剤ダクト（１９、１９３）の分岐部から生じ、かつ／または
前記冷却潤滑剤ダクト（１９３、１９４、１９５）の少なくとも１つが、非円形断面、楕円形断面、矩形断面、扁平な楕円形断面もしくは扁平な矩形断面を有することを特徴とする、請求項１〜３のいずれか一項に記載の突切り工具ホルダ（１）。
【請求項５】
延在方向が前記切削工具の受容平面に平行に延びる、スロット（１２４）が、前記切削工具座部（１２３）から離れる方向に前記ホルダ本体（１’）内に延びることを特徴とする、請求項１〜４のいずれか一項に記載の突切り工具ホルダ（１）。
【請求項６】
前記少なくとも一つの出口開口（１８ａ、１８ｂ）は、前記切削工具座部（１２３）に受容される切削工具の下方に位置する、
請求項１〜５のいずれか一項に記載の突切り工具ホルダ（１）。
【請求項７】
前記少なくとも一つの出口開口（１８ａ、１８ｂ）は、前記ホルダ本体の側面（１２２”）両側に開口する、
請求項１〜６のいずれか一項に記載の突切り工具ホルダ（１）。
【請求項８】
ａ）前記突切り工具ホルダ（１）のホルダ本体（１’）を記述する、３次元体積データセットを加工装置にロードするステップと、
ｂ）粉末状の出発材料を準備するステップと、
ｃ）粉末状の前記出発材料の材料凝集を段階的に生じさせ、それにより、前記板状ホルダ本体体積（１’）を段階的に製造するステップであって、
少なくとも１つの出口開口（１８ａ、１８ｂ）を備える、側面（１２２”）から斜めに前記ホルダ本体の前記側面（１２２”）に現れる少なくとも一つの冷却潤滑剤ダクト（１９３）を備え、
前記出口開口（１８ａ、１８ｂ）は、前記冷却潤滑剤ダクト（１９３）から流出する冷却潤滑剤噴流（Ｋ）を前記切削工具座部（１２３）に受容される切削工具の表面上に側方に導くことができるように配向され、
かつ
前記ホルダ本体（１’）の端面（１２２’）に存在する上部出口開口（１６）に開口し、流出する冷却潤滑剤噴流を前記切削工具座部（１２３）に受容される切削工具の切削縁部に上方から導くことができるように配向される少なくとも１つの上部冷却潤滑剤ダクト（１９４）を備え、かつ
前記ホルダ本体（１’）の端面（１２２’）に存在する下部出口開口（１７）に開口し、流出する冷却潤滑剤噴流を前記切削工具座部（１２３）に受容される切削工具の切削縁部に下方から導くことができるように配向される少なくとも１つの下部冷却潤滑剤ダクト（１９５）を備える、ステップと
を含む、加工装置を使用することによる、請求項１〜５のいずれか一項に記載の突切り工具ホルダ（１）用の製造方法。
【請求項９】
前記ステップｃ）において、粉末状の前記出発材料の溶融が行われる、請求項８に記載の製造方法。
【請求項１０】
粉末状の前記出発材料が金属粉末であり、かつ／または
前記加工装置が、選択的レーザ溶融または選択的レーザ焼結用の装置であることを特徴とする、請求項８または９に記載の製造方法。
【請求項１１】
前記方法が、ｄ）前記少なくとも１つの冷却潤滑剤ダクト（１９３）の内部平滑化のためのステップ、液流研磨ステップおよび／または押出ホーニングステップを行うステップを含む、請求項８〜１０のいずれか一項に記載の製造方法。
【請求項１２】
前記少なくとも一つの出口開口（１８ａ、１８ｂ）は、前記切削工具座部（１２３）に受容される切削工具の下方に位置する、
請求項８〜１１のいずれか一項に記載の製造方法。
【請求項１３】
前記少なくとも一つの出口開口（１８ａ、１８ｂ）は、前記ホルダ本体の側面（１２２”）両側に開口する、
請求項８〜１２のいずれか一項に記載の製造方法。
【発明の詳細な説明】
【技術分野】
【０００１】
以下の発明は、突切り工具ホルダおよび突切り工具ホルダの製造工程に関する。
【背景技術】
【０００２】
切削により被加工物を加工するときに、刃先の過熱ひいては早期磨耗を防止するために切削工具を常に冷却しなければならない。この目的で、切削工具に供給される冷却潤滑剤を用いることが知られている。冷却潤滑剤は、水分を主成分とし、例えば、潤滑用の、湿潤特性の改質用の特定の添加剤および／または消泡剤を含有する。初期システムは、例えば、切削工具まで進めたフレキシブルホースによって、大きな体積流量と局所的に比較的不確実な冷却潤滑剤塗布により動作していた。
【０００３】
しかしながら、この種の冷却作用は、発熱の箇所、すなわち刃先自体に、冷却潤滑剤が不十分にしか供給されないので冷却潤滑剤消費量が非常に多くかつ冷却作用があまり効果的ではないという欠点を有する。振り落とされた切屑および／または切削工具上に堆積する切屑が、この文脈では冷却潤滑剤噴流を偏向させ、このようにして、刃先の冷却を妨げる可能性がある。幅の狭い溝を切削するときまたは分断するときには、刃先への冷却潤滑剤の供給がほぼ完全に遮断されることさえ起こり得る。
【０００４】
それゆえ、冷却潤滑剤を切削工具に高圧で直接供給することを可能にする切削工具ホルダが開発されている。
【０００５】
このような切削工具は、独国実用新案第２０２０１２００４９００Ｕ１号明細書に開示されている。ここでは、切削工具ホルダは、冷却潤滑剤を切削工具座部に直接供給することを可能にする冷却潤滑剤ダクトを備える。切削インサートまたは切削板は、切屑が洗い出され、ひいては洗い流されるように、ホルダ本体内の単一の孔により形成される内部ダクトから更に刃先まで冷却潤滑剤が搬送される溝状凹部を表面に有する。
【０００６】
刃先において熱を直接除去できるが、冷却潤滑剤流が切削インサートの溝内において最小限の圧力でしか流れないので、切冷却潤滑剤の供給が切屑搬送作用を不十分にしか補助しない。
【０００７】
それゆえ、冷却潤滑剤が切削工具のすぐ前にのみ流出する切削工具ホルダが開発されている。例えば、切削インサートに直接隣接する出口開口を備えた、ブレードの長手方向軸線に沿って延びる細管孔により接続される流体供給孔が側面に設けられる分断ブレードが国際公開第２０１３／１３２４８０Ａ１号パンフレットに開示されている。流体供給孔は、この文脈では一端部が栓で閉鎖され、その一方で、他端部が工作機械の冷却潤滑剤供給源に接続される。流体供給ダクトは、互いに対してある角度で位置する（このことが流れ損失を生じさせる）ここでは２つの流体接続された孔により形成される。
【０００８】
その上、製造業者Ｓａｎｄｖｉｋ  Ｃｏｒｏｍａｎｔの分断ブレードは、Ｃｏｒｏｔｕｒｎ（登録商標）ＱＤという名称で知られており（製品カタログ「Ｎｅｕｅ  Ｗｅｒｋｚｅｕｇｅ  ｕｎｄ  Ｌoｓｕｎｇｅｎ」，ｐａｇｅ  ２１，２０１４を参照）、分断ブレードの端面に位置する冷却潤滑剤用の２つの出口開口を切削インサートの領域内に有する。一方の出口開口は、切削インサートよりも上方に位置し、かつ他方の出口開口は、切削インサートよりも下方に位置する。この文脈において、ダクトは、中央供給開口から、複数の出口開口にそれぞれ延びており、ダクトはブレード本体内の孔により形成される。
【発明の概要】
【発明が解決しようとする課題】
【０００９】
この先行技術に基づいて、本発明は、切削工具の改善された局所冷却と改善された切屑搬送とを可能にする改良された突切り工具ホルダを提供することを目的とする。
【課題を解決するための手段】
【００１０】
この目的は、独立請求項１の特徴を備えた突切り工具ホルダにより解決される。
【００１１】
その上、突切り工具ホルダを少ない加工ステップで安価に製造できる突切り工具ホルダの製造方法を提供する目的がある。
【００１２】
この目的は、請求項６の特徴を備えた製造方法により解決される。
【００１３】
装置および方法の好ましい実施形態は、従属請求項にそれぞれ記載されている。
【００１４】
本発明による突切り工具ホルダは、第１の実施形態では、切削工具座部を備える板状ホルダ本体を備える。その上、突切り工具ホルダは、突切り工具ホルダを工作機械内にクランプするためのクランプ部分を有する。保持本体内には、本発明によれば、有利には、ダクトが側面から斜めに現れるホルダ本体の側面に少なくとも１つの出口開口が設けられる少なくとも１つの冷却潤滑剤ダクトが設けられる。出口開口は、この文脈では、この冷却潤滑剤ダクトからの冷却潤滑剤噴流を切削工具座部に位置する切削工具の表面上に導くことができるように配向される。その上、ホルダ本体は、ホルダ本体の端面に存在する上部出口開口であって、冷却潤滑剤ダクトから流出する冷却潤滑剤噴流が切削工具座部に受容される切削工具の刃先上に上方から方向付けられるように配向される上部出口開口に開口する少なくとも１つの上部冷却潤滑剤ダクトを備える。その上、ホルダ本体の端面に存在する下部出口開口であって、冷却潤滑剤ダクトから流出する冷却潤滑剤噴流を切削工具座部に受容される切削工具の刃先上に下方から方向付けることができるように配向される下部出口開口に各々開口する１つまたはいくつかの下部冷却潤滑剤ダクトが設けられる。
【００１５】
この文脈において、「切削工具」とは、例えば、炭化物、ダイヤモンド、またはセラミックから構成できる交換可能な切削インサート、特に両面とも使用可能な切削板を意味する。「傾斜した」とは、冷却潤滑剤ダクトが表面に対して垂直に現れないことを意味する。切削縁部は、本明細書では刃先と同じ意味を有する。つまり、刃先とは、切削力が被加工物に作用している箇所を意味する。板状ホルダ本体は、例えば分断ブレードの場合に存在する。しかしながら、ホルダ本体はまた、部分的にのみ、例えば、被加工物に向けて配向されるホルダ本体の端部においてのみ板状のものとすることもでき、その一方で、工作機械内での受容のために標準化された幾何学形状、例えば、多角形断面を備えた軸状ホルダがクランプ端部に設けられる。
【００１６】
ホルダ本体の側面に存在する出口開口は、冷却潤滑剤噴流を側部から切削工具本体上に導くために設けられる。この出口開口は、突切り工具ホルダ自体の熱膨張をも抑制する切削工具本体自体をより冷却された状態に保つことに寄与するだけでなく、切屑搬送を改善することにも寄与する。
【００１７】
本発明による突切り工具ホルダは、大きな分断直径または小径の突切り工具ホルダに特に好適である特に分断ブレードとすることができ、ホルダ本体を工作機械に連結するために、ホルダ本体を、例えば、細長い工具軸に接続することができる。工作機械は、この文脈では、主として旋盤および自動旋盤を意味する。工具ホルダを多軸マシニングセンタで使用することもできる。突切り工具ホルダは、クランプねじ用の貫通孔を設けてもよい工作機械の工具ホルダにねじ接続することができる。代替的に、本発明による突切り工具ホルダが上位ホルダにほぼ受容されるように突切り工具ホルダをクランプホルダ内にクランプでき、上位ホルダを、例えば、形状嵌合式の迅速着脱システムにより工作機械の工具受容部に連結することができる。
【００１８】
本発明による突切り工具ホルダはまた、冷却潤滑剤用の２つ以上の側方出口開口を有することができる。特に、互いに離れる方向を向いた突切り工具ホルダの側面には、互いに反対の方向から冷却潤滑剤を切削工具上に導入する出口孔を設けることができる。方向は、主としてダクト軸線の向きにより決定される。しかしながら、角度調節可能でありかつ流出方向の変更を可能にするノズルが出口孔に挿入されるものとすることもできる。
【００１９】
有利には、本発明による突切り工具ホルダに関しては、切削工具本体を側部からかつ追加的に切削域または切削縁部を下方と上方から冷却することが可能である。したがって、切削工具の全体積の過熱を従来よりも効果的に防止することができる。このことは、切削工具の耐用年数を延ばし、かつ本発明による突切り工具ホルダを使用することで製造のコスト効率を高める。その上、高圧の少量の冷却潤滑剤を制御された様式で局所的に導入できるので、冷却潤滑剤消費量を低減することができる。１つまたは複数の上部冷却潤滑剤ダクトおよび／または下部冷却潤滑剤ダクトは、ホルダ本体内の個々のダクトとして延びることができ、それらダクトは、供給開口からそれぞれの出口開口に特に「星形」をなして延びることができる。
【００２０】
更なる実施形態において、ホルダ本体は、好ましくはクランプ部分に存在する、冷却潤滑剤用の１つまたはいくつかの供給開口を備えることができ、１つまたは複数の供給開口は冷却潤滑剤供給源に流体接続可能である。冷却潤滑剤ダクトは、この文脈では、供給開口から出口開口に延びる。
【００２１】
供給開口によって、本発明による突切り工具ホルダを工作機械の冷却潤滑剤供給システムに連結することが可能である。このことを、好ましくは機械的連結作用と同時に実現することができる。
【００２２】
この文脈において、冷却潤滑剤ダクトは、供給開口と出口開口との間の最短の接続に沿って延びてはならないが、達成されるべき所定の最小限の剛性に対してダクトの経路を適合させることもできる。しかしながら、孔または同様の要素が直接経路を「遮断」する場合には、真っ直ぐに延びていないダクトも必要であり得る。それゆえ、冷却潤滑剤ダクトは、有利には丸みを付けることができる１つまたはいくつかの方向変化部分を備えてもよい。方向変化部分の丸みの付いた構成により、省エネルギー動作に寄与する圧力損失の低減が達成される。
【００２３】
しかしながら、上部冷却潤滑剤ダクトおよび／または下部冷却潤滑剤ダクトが第１の冷却潤滑剤ダクトの分岐部から生じるものとすることもできる。この文脈において、まず、単一のダクトは、例えば、供給開口から離れる方向に延び、次いでより多く分岐し、このようにして複数の出口開口に冷却潤滑剤を供給することができる。１つまたは複数の分岐部は、この文脈では保持本体内に設けられ、かつ有利には流体的に有益な幾何学形状を有することができ、かつ特に直径の急激な変化または死水域を有さない。
【００２４】
例示的な実施形態において、側方出口開口は、切削工具座部よりも下方に位置する。加えて、突切り工具ホルダは、切削工具座部よりも上方に位置する端面出口開口と、切削工具座部よりも下方に位置する端面出口開口とを有する。この文脈において、供給開口から、上部ダクト分岐部は、上部端面出口開口に延び、かつ分岐した下部ダクト分岐部は、側方出口開口と下部端面出口開口とに延びる。端面出口開口に延びる冷却潤滑剤ダクトのダクト軸線は、流出する冷却潤滑剤噴流が切削工具の切削縁部に導かれるように配向することができる。端面出口開口は、切削域の最適な冷却作用を確実にし、その一方で、側方出口開口は、切削工具本体を冷却するための冷却潤滑剤を提供する。
【００２５】
１つまたはいくつかの冷却潤滑剤ダクトは、代替的または追加的に、非円形断面、例えば、矩形断面、最も好ましくは、扁平な矩形断面を有することができる。
【００２６】
「扁平な」とは、本明細書では、１．２以上の幅／高さ比を意味する。常に円形である孔については、貫流面積が保持本体の厚さと直接相関する一方で、矩形ダクト断面によって、極めて扁平なホルダ本体の場合でさえ比較的大きな貫流面積を実現することができる。ダクト断面は、例えば、丸みを付けるかまたは特に楕円形とすることができ、主軸線を好ましくはホルダ本体に対して垂直に配向することができる。この向きで、ホルダ本体の外部からおよび／または切削力の影響により作用するより大きな圧力荷重に耐えることができる機械的に高い耐荷重性のダクトが設けられる。
【００２７】
最後に、延在方向が切削工具の受容平面に平行であるスロットは、ホルダ本体内に切削工具座部から離れる方向に延びることができ、スロットは、切削工具を切削工具座部内にクランプするための弾性をもたらす。
【００２８】
スロットは、この文脈では、スロットをより容易に弾性変形させることができるようにスロットに隣接するホルダ本体の体積を「弱める」のに役立つ。クランプ装置（例えば、スロットに対して垂直に保持本体内にねじ込まれるクランプねじ）の影響下、スロットが狭められ、このようにして切削工具を切削工具座部内にクランプすることを可能にする。スロットには、切削工具座部から離れる方向を向いた端部に丸みの付いた部分を設けることができる。丸みの付いた部分は、例えば、スロット平面に平行に延びる孔により形成される。この部分はまた、スロット端部の応力集中を低減する。
【００２９】
突切り工具ホルダの本発明による製造方法は、生産的加工装置を用いることにより行なわれる。その方法は、以下のステップ、
ａ）突切り工具ホルダのホルダ本体を記述する、３次元体積データセットを生産的加工装置にロードするステップと、
ｂ）粉末状の出発材料を準備するステップと、
ｃ）粉末状の出発材料の材料凝集を段階的に生じさせ、それにより、板状ホルダ本体体積を段階的に製造するステップであって、
−少なくとも１つの出口開口を有する、側面から斜めにホルダ本体の側面に現れる少なくとも１つの冷却潤滑剤ダクトを備え、
−ホルダ本体の端面に存在する上部出口開口に開口する少なくとも１つの上部冷却潤滑剤ダクトを備え、
−かつホルダ本体の端面に存在する下部出口開口に開口する少なくとも１つの下部冷却潤滑剤ダクトを備える、ステップと
を含む。
【００３０】
生産的製造方法を分離または変形による製造方法と区別するために付加的製造方法とも称される生産的製造方法によって、鋳造によっておよび／または切削工程により作製できない、アンダーカット、隠れた内部および同様のものを備えた最も複雑な幾何学形状さえも製造することができる。
【００３１】
本発明による突切り工具ホルダは、費用の増加のみで製造できるかまたは従来の製造技術では全く製造できないような構成要素である。側面から斜めに現れるとともに中央供給点に延びる冷却潤滑剤ダクトを、この目的で少なくとも３つの孔が必要とされるので、その直径範囲での従来の穿孔技術では製造することができない。製造されるべき分断幅がしばしば２ｍｍ未満であり、それゆえ、ホルダ本体が更に薄いので、特に、側方出口開口を形成する傾斜「孔」と供給開口に延びる冷却潤滑剤ダクトの油圧接続はほとんど不可能である。また、穿孔されるべき長さは、多くの場合、細長いホルダ本体（例えば、分断ブレード）の場合に経済的に達成可能な直径／長さ比を上回る。
【００３２】
生産的製造技術を用いて、ほぼ任意の数の出口開口を備えた任意の数の冷却潤滑剤ダクトを追加コストなしに製造することができる。この文脈では、流動力学に関して内部ダクト分岐部を最適に設計することさえ可能である。特に、いくつかの「つなぎ合わされた」孔によるダクトの形成により先行技術でしばしば生じる死水域の形成を防止することができる。また、ダクトの長さはもはや制限されない。例えば、従来の穿孔技術を使用する場合に極めて高価な深孔加工技術を用いてのみ達成可能である任意の直径／長さ比を達成することができる。
【００３３】
非円形ダクト断面（例えば、正方形または扁平な平行六面体）を実現することさえ考えられる。このようにして、極めて薄いホルダ本体にでさえ比較的大きな貫流断面積を形成することができる。対照的に、既知の解決策における貫流断面はホルダ本体の厚さにより直接制限される。
【００３４】
「３次元体積データセット」は、本明細書では、包絡面を記述するだけでなく、「ボクセル」として体積をもほぼ記述するホルダ本体のＣＡＤ体積モデルとして理解されるべきである。３次元データがＳＴＬ形式の表面モデルとして提供され、かつ完全に囲まれた表面が生成的加工装置により体積として解釈される、生産的加工装置において、最初に体積データを生成することも可能である。体積体を取得するために、まず、ある平面内の所定の箇所に材料凝集を生じさせ、次いで、次々に平面毎に続けて生じさせる。
【００３５】
このようにして、最小限の後加工費用でまたは更には全く後工程なしにかつ高精度で、構成要素をほぼ一工程で製造することができる。
【００３６】
材料凝集を生じさせるために、粉末状の出発材料を溶融させることができ、または材料凝集を溶融なしに焼結により生じさせる。
【００３７】
粉末状の出発材料は、特に金属粉末とすることができる。生産的加工装置は、選択的レーザ溶融または選択的レーザ焼結用の装置とすることができる。しかしながら、前述の加工装置は例に過ぎない。本発明による製造方法はまた、例えば、エネルギー源として電子ビームまたは他の高エネルギー放射線を使用する他の生産的加工装置を用いて実施することができる。
【００３８】
最後に、製造方法を実施するときに、少なくとも１つの第１の冷却潤滑剤ダクトの内部平滑化のためのステップ（例えば、液流研磨および／または押出ホーニング）を実施することができる。
【００３９】
このステップは、構成要素の完成後に都合よく行われるが、原則として任意の他の時点で実施することもできる。液流研磨は、研磨粒子を含有する研磨溶液を繰り返し圧送することとして理解されるべきであり、表面粗さが効果的に低減され、このことが特に流れ通過の際の流れ抵抗または圧力損失の低減につながる。これにより、１つまたは複数のダクト内において所望の層流形成が生じ得る。特に、冷却潤滑剤ダクト「網」における分岐点などの機能的な縁部を液流研磨によって効果的に平滑化することができる。加えて、ダクト直径のその後の拡大も可能とされるように、断面制限に加えて、ダクト構造内に生産的製造工程後に残留する付着粉末を除去することができる。液流研磨によって平滑化されたダクト構造の表面状態は、流れ方向に配向された研磨痕跡を更に含む。貫流時に、研磨痕跡は摩擦抵抗の低減を呈する。それら研磨痕跡は、穿孔工程または摩擦工程などにより生じさせることができない。当然ながら、突切り工具ホルダの冷却潤滑剤ダクトの全て、または所望により個々のダクトのみを記載のように後処理することができる。
【００４０】
これらのおよび更なる利点について添付図面を参照しながら以下の記載において説明する。その記載における図面への言及は、説明を補助しかつ主題の理解を容易にするのに役立つ。図面は、本発明の実施形態の概略的な描写に過ぎない。
【図面の簡単な説明】
【００４１】
【図１】図１は、突切り工具ホルダの部分斜視図である。
【図２】図２は、突切り工具ホルダの平面図である。
【発明を実施するための形態】
【００４２】
図１では、ホルダ本体１’は、冷却潤滑剤ダクトが、断面平面内に位置しないが、ホルダ本体１’内のより深い像平面の裏側に位置する縦断面で図示されている。ホルダ本体１’は、２つの部分、工作機械との連結のために設けられるクランプ部分１１と、切削インサートを受容することができる受容部分１２とを有する。
【００４３】
突切り工具ホルダ１、すなわち、より正確にはホルダ本体１’は、受容されるべき所定の切削工具（例えば、両面とも使用可能な切削板）に対応するように形状および寸法が形成される切削工具座部１２３を有する。切削工具から突切り工具ホルダ１内への力の伝達を改善するために、切削工具座部１２３は、ホルダ本体１’の長手方向に対して横断方向に延びる溝状凹部を有することができる（しかしながら、この溝状凹部は図面には図示されていない）。スロット１２４の延在方向に対して垂直にホルダ本体にクランプ力を及ぼすクランプ装置により切削工具座部１２３に隣接するスロット１２４を弾性変形させる点において、切削工具を切削工具座部１２３内にクランプすることができる。スロット１２４の「閉鎖端部」には、末端孔１２４’が設けられ、この末端孔１２４’によって追加の弾力がもたらされかつ末端孔１２４’がスロットにおける応力集中を低減する。
【００４４】
ホルダ本体１’は、ねじ孔（これは図面に図示されていない）であってもよい締結孔１３を有する。ホルダ本体１’は、締結孔１３によって工作機械に連結されて、直接または間接的に達成できる工作機械への力の伝達を可能にする。ホルダ本体１’は、旋盤の工具受容部に直接接続されるか、まずアダプタ内にクランプされるか、または細長い軸を備えた突切り工具ホルダの一部とすることができる。クランプ部分１１において、ホルダ本体１’は、形成されるべき突切り溝の幅ができる限り小さくなるので、受容部分１２における厚さよりも大きな厚さを有する。丸みの付いた部分１２１によって、回転本体のための十分な移動空間が設けられ、その一方で、受容部分１２に剛性が付与される。
【００４５】
その上、ホルダ本体１’は、工作機械の冷却潤滑剤システムに連結される冷却潤滑剤用の中央供給開口１４を有する。冷却潤滑剤ダクト（これに関しては図２を参照）は、ホルダ本体１’内において供給開口１４から離れる方向に延び、かつ出口開口１６、１７、１８ａ、１８ｂ各々に開口する。突切り工具ホルダ１は、４つの出口開口１６、１７、１８ａｂ、１８ｂを有する。１つの出口開口１８ａ、１８ｂ各々は、切削工具座部１２３よりも下方の側面１２２”に位置するとともに表面から斜めに現れ、１つの出口開口１８ａ、１８ｂ各々は互いに離れる方向を向いた壁部分に設けられる（これは、出口開口１８ｂの破線表示で図示されている）。２つの出口開口１６、１７（切削工具座部１２３よりも上方に存在する上部出口開口１６、切削工具座部１２３よりも下方に存在する下部出口開口１７）は、ホルダ本体１’の端面１２２’に位置する。突切り工具ホルダ１が、異なる断面積および流量を有してもよい、いくつかの出口開口１６、１７、１８ａ、１８ｂを有するので、最適な切屑搬送および最適な冷却作用が達成される。下部端面出口開口１７は、切削縁部を下方から冷却するために設計される一方で、上部端面出口開口１６は切屑搬送にも役立ち、かつ側方出口開口１８ａ、１８ｂは、切削工具本体を下側方から冷却する。このことは、切削工具本体の加熱を防止することと、ホルダ本体１’への熱の伝導を防止することとに寄与する。流出する冷却媒体噴流Ｋの長手方向軸線は、点線で図示されている。
【００４６】
図２は、断面表面が像平面内に位置する図１に図示する部分図の側面図を示している。冷却潤滑剤ダクト１９、１９３、１９４、１９５の経路を説明できるように、隠れた縁部が破線で図示されている。冷却潤滑剤ダクト１９は、中央供給点としての供給開口１４から下方向に延び、かつスロット１２４に平行に延びるように切削工具座部１２３よりも下方に湾曲している。冷却潤滑剤ダクト１９は、側面１２２’における側方出口開口１８ａ、１８ｂに開口する、冷却潤滑剤ダクト１９３と、端面１２２’における下部出口開口１７に開口する、冷却潤滑剤ダクト１９５とに分岐する。分岐部１９１は、圧力損失を最小限に抑えるために流体的に有益な設計を有する。冷却潤滑剤ダクト１９４は、同じく供給開口１４から離れる方向に延び、かつ端面１２２’の傾斜部分における上部出口開口１６に開口する。
【００４７】
例えば、鋳造および／またはフライス削り／穿孔などの、従来の１次成形および分離による製造方法では、記載したダクト幾何学形状を備えたホルダ本体１’を製造することができない。それゆえ、本発明によれば、最小限の機械的な後加工でホルダ本体１’を製造できるように、製造のための生産的製造方法、特に選択的レーザ溶融を使用することが提案される。ほぼ完成したホルダ本体は、選択的レーザ溶融用の装置から取り外すことができ、次いで、粉末状の出発材料の残留物を洗い落とした後に使用できる状態となる。
【図１】
0006412580.tif 000002
【図２】
0006412580.tif 000003